(57)【要約】【課題】本発明は、被写体像を結像させ、撮影操作に応じて該被写体を表す画像データを生成して記録する撮影装置に関し、コストアップを招くことなく、各種設定の操作が簡便な撮像装置を提供することを目的とする。【解決手段】設定内容を表す情報が記録された画像を撮影して得た画像データから抽出された情報に基づいて設定する。【選択図】        図３
2006157097.tif 000002
【特許請求の範囲】
【請求項１】
被写体像を結像させ、撮影操作に応じて該被写体を表す画像データを生成して記録する撮影装置において、
設定内容を表す情報が記録された画像を撮影して得た画像データから該情報を抽出する情報抽出部と、
前記情報抽出部で抽出された情報に基づく設定を行う設定部とを備えたことを特徴とする撮影装置。
【請求項２】
日時を管理する日時管理部を備え、
前記情報抽出部は、日時を表す情報を抽出するものであり、
前記設定部は、前記日時管理部に、前記情報抽出部で抽出された情報に基づく日時を設定するものであることを特徴とする請求項１記載の撮影装置。
【請求項３】
前記情報抽出部は、プリント注文情報を抽出するものであり、
前記設定部は、前記情報抽出部で抽出されたプリント注文情報に基づくプリント注文の有無およびプリント枚数を設定するものであることを特徴とする請求項１記載の撮影装置。
【請求項４】
撮影により得られた画像データに、設定された画像処理内容に基づく画像処理を施す画像処理部を備え、
前記情報抽出部は、画像処理内容を表す情報を抽出するものであり、
前記設定部は、前記画像処理部に、前記情報抽出部で抽出された情報に基づく画像処理内容を設定するものであることを特徴とする請求項１記載の撮影装置。
【請求項５】
撮影条件決定情報に従って撮影条件を決定し、決定した撮影条件による撮影を行う撮影部を備え、
前記情報抽出部は、前記撮影条件決定情報を抽出するものであり、
前記設定部は、前記撮影部に、前記情報抽出部で抽出された撮影条件決定情報を設定するものであることを特徴とする請求項１記載の撮影装置。
【発明の詳細な説明】
【技術分野】
【０００１】
本発明は、被写体像を結像させ、撮影操作に応じて該被写体を表す画像データを生成して記録する撮影装置に関する。
【背景技術】
【０００２】
従来より、撮像素子上に被写体の像を結像させて、その被写体を表す画像データを取り込む電子スチールカメラの中には、多数のモードを備え、各モードの設定を行うための多数の操作子を備えたカメラが知られている。このようなカメラにおける各モードの設定操作を困難に感じるユーザの中には、カメラを初期設定のまま使用するユーザも見受けられる。以下、カメラにおける設定の一例として、日付や時刻の設定を挙げて問題点を考察する。
【０００３】
従来より、カメラの中には日付や時刻を設定する時計機能を備えたカメラが知られている。カメラに時計機能が搭載されることによって、例えば、被写体を撮影した撮影画像上に、この撮影画像が撮影された日付や時刻を記録してプリントすることが可能となる。
【０００４】
このような時計機能の電源はカメラに装填された電池であるため、電池交換のために電池が抜き取られると、電池が抜き取られるまでに記憶されていた日付や時刻を表す計時データが消失することとなり、ユーザは電池交換のたびに操作子を操作して日付や時刻を再設定しなければならず、使い勝手が悪い。このような再設定の煩わしさに起因して、ユーザの中には日付や時刻の再設定操作を行うことなく使用していることもあり問題である。
【０００５】
電池交換時における日付や時刻の再設定操作をより簡便なものとするために、電池が抜き取られる際に、それまで記憶されていた日付や時刻を表す計時データを書き込む不揮発性メモリを備えたカメラが開示されている（例えば、特許文献１参照。）。この特許文献１に開示されたカメラによれば、電池交換が行われて新しい電池が装填されると、不揮発性メモリに記憶された計時データが読み出されて日付や時刻が再設定される。
【特許文献１】特開２００２−２２８６１号公報
【発明の開示】
【発明が解決しようとする課題】
【０００６】
上述した特許文献１に開示されたカメラによれば、電池交換時に、不揮発性メモリに記憶された計時データが読み出されて日付や時刻が再設定されるものの、電池が抜き取られる操作が行われたことを検知する手段や、電池が抜き取られた状態での不揮発性メモリへの計時データの書き込みを保証するための電源バックアップ手段を必要とするため、カメラの大型化やコストアップを招いてしまう。
【０００７】
上述した問題点の考察では、日付や時刻を設定する際の問題点の例を挙げて説明したが、他のモードにおける設定の操作においても上述した問題点と同様の問題点がある。例えば、画像処理パラメータなどといったデータを入れ替えることによって今まで有効であった機能をより一層高めるグレードアップの情報や、新たな機能を追加するバージョンアップの情報が書き込まれたＣＤ−Ｒ等の記録メディアをユーザが入手し、入手した記録メディアをパーソナルコンピュータに装填し、そのパーソナルコンピュータに接続されたデジタルカメラに記録メディアに書き込まれた情報を読み込ませることによって機能向上の設定を施す場合の設定操作や、デジタルカメラで撮影されて記録された撮影画像を表す画像データに、プリント注文の有無およびプリント枚数などといったプリント注文情報を付加する場合の設定操作等においても、複雑な設定操作についていくことが困難と感じるユーザも見受けられる。
【０００８】
本発明は、上記事情に鑑み、コストアップを招くことなく、各種設定の操作が簡便な撮像装置を提供することを目的とするものである。
【課題を解決するための手段】
【０００９】
上記目的を達成する本発明の撮影装置は、
被写体像を結像させ、撮影操作に応じてその被写体を表す画像データを生成して記録する撮影装置において、
設定内容を表す情報が記録された画像を撮影して得た画像データからその情報を抽出する情報抽出部と、
上記情報抽出部で抽出された情報に基づく設定を行う設定部とを備えたことを特徴とする。
【００１０】
本発明の撮影装置は、設定内容を表す情報が記録された画像を撮影して得た画像データから抽出された情報に基づいて設定するものであるため、ユーザが多数の操作子を操作することによって設定を行うような煩雑な操作が回避される。また、本発明の撮影装置は、「発明が解決しようとする課題」の欄で説明した電源バックアップ手段などといった手段が不要であるため、コストアップを招くことも回避される。
【００１１】
ここで、上記本発明の撮影装置は、
「日時を管理する日時管理部を備え、
上記情報抽出部は、日時を表す情報を抽出するものであり、
上記設定部は、上記日時管理部に、上記情報抽出部で抽出された情報に基づく日時を設定するものである」
ことが好ましい。
【００１２】
このような日時管理部を備えた撮影装置によれば、日時を表す情報が記録された画像を撮影して得た画像データから抽出された情報に基づいて日時を設定することができる。
【００１３】
また、上記本発明の撮影装置は、
「上記情報抽出部は、プリント注文情報を抽出するものであり、
上記設定部は、上記情報抽出部で抽出されたプリント注文情報に基づくプリント注文の有無およびプリント枚数を設定するものである」
ことも好ましい形態である。
【００１４】
このような好ましい形態によれば、例えばプリント注文の有無やプリント枚数などを指定することのできるＤＰＯＦ（登録商標）対応のデジタルカメラにおいて、プリント注文情報が記録された画像を撮影して得た画像データから抽出されたプリント注文情報に基づいてプリント注文の有無およびプリント枚数を設定することができる。
【００１５】
また、上記本発明の撮影装置は、
「撮影により得られた画像データに、設定された画像処理内容に基づく画像処理を施す画像処理部を備え、
上記情報抽出部は、画像処理内容を表す情報を抽出するものであり、
上記設定部は、上記画像処理部に、上記情報抽出部で抽出された情報に基づく画像処理内容を設定するものである」
という形態も好ましい。
【００１６】
このような画像処理部を備えた撮影装置によれば、画像処理内容を表す情報が記録された、例えば、２次元コードの一例に相当するＱＲコード（登録商標）や、縦縞状の太さの異なるバーの組み合わせからなるバーコードなどといった画像を撮影して得た画像データから抽出された情報に基づいて画像処理内容を設定することができる。
【００１７】
さらに、上記本発明の撮影装置は、
「撮影条件決定情報に従って撮影条件を決定し、決定した撮影条件による撮影を行う撮影部を備え、
前記情報抽出部は、前記撮影条件決定情報を抽出するものであり、
前記設定部は、前記撮影部に、前記情報抽出部で抽出された撮影条件決定情報を設定するものである」
という形態も好ましい。
【００１８】
このような撮影部を備えた撮影装置によれば、撮影条件決定情報が記録された、例えば、２次元コードの一例に相当するＱＲコード（登録商標）や、縦縞状の太さの異なるバーの組み合わせからなるバーコードなどといった画像を撮影して得た画像データから抽出された撮影条件決定情報を設定することができる。
【発明の効果】
【００１９】
本発明によれば、コストアップを招くことなく、各種設定の操作が簡便な撮像装置が提供される。
【発明を実施するための最良の形態】
【００２０】
以下、図面を参照して本発明の実施の形態を説明する。
【００２１】
ここでは、本発明を、撮像素子（ここでは、Ｃｈａｒｇｅ  Ｃｏｕｐｌｅｄ  Ｄｅｖｉｃｅ：ＣＣＤとする）上に被写体の像を結像させて、その被写体を表す撮影画像データを取り込むデジタルカメラに適用した実施形態について説明する。
【００２２】
図１は、本発明の撮影装置の第１実施形態が適用されたデジタルカメラを前面斜め上から見た外観斜視図であり、図２は、図１に示すデジタルカメラを背面斜め上から見た外観斜視図である。
【００２３】
図１に示すように、デジタルカメラ１００の正面の中央部には、外観上、被写体に焦点を合わせるフォーカスレンズなどで構成される撮影レンズ１０１が備えられている。また、このデジタルカメラ１００の前面上部には、撮影者が被写体の位置などを定めるために覗く光学式ファインダ対物窓１０２、およびシャッタレリーズボタン１０５の押下に同期して発光する閃光発光装置１０３が備えられている。さらに、このデジタルカメラ１００の上面には、スライド式の電源ボタン１０４、および撮影時に押下されるシャッタレリーズボタン１０５が備えられている。シャッタレリーズボタン１０５は半押し、および全押しの２段階に押下可能であり、撮影レンズ１０１内のフォーカスレンズに取り付けられたモータを光軸方向に駆動して撮影画角の中央領域に焦点を合わせる、フォーカス機能によるフォーカシングが連続的に行われていて、シャッタレリーズボタン１０５を半押しすると、フォーカスレンズの位置をその半押しされた時点の位置に固定するフォーカスロックが設定され、シャッタレリーズボタン１０５を全押しすると、シャッタが切られて実際の撮影が行われる。デジタルカメラ１００の内部には、撮影レンズ１０１の背面に配備されたＣＣＤ１１３（図３参照）が備えられている。撮影レンズ１０１を経由してきた被写体光はＣＣＤ１１３に入射されて電気信号であるアナログの画像信号に変換される。
【００２４】
また、図２に示すように、このデジタルカメラ１００の背面には、光学式ファインダ接眼窓１０６と、メニューボタン１０７１と、画面切換ボタン１０７２と、通常撮影機能と光学式文字読取装置（Ｏｐｔｉｃａｌ  Ｃｈａｒａｃｔｅｒ  Ｒｅａｄｅｒ：ＯＣＲ）機能とを切り換えるＯＣＲモードボタン１０７３と、各種選択操作を行う十字キー１０７４と、各種操作によって変更された設定を確定する実行ボタン１０７５と、画像やメニューを表示する液晶ディスプレイ（Ｌｉｑｕｉｄ  Ｃｒｙｓｔａｌ  Ｄｉｓｐｌａｙ：ＬＣＤ）パネル１０８とが備えられている。電源ボタン１０４がスライド操作されてデジタルカメラ１００が駆動されると通常撮影機能が有効となり、ＯＣＲモードボタン１０７３が押下されるとＯＣＲ機能が有効となる。また、ＯＣＲ機能が有効の状態でＯＣＲモードボタン１０７３が押下されると通常撮影機能が有効となる。
【００２５】
図３は、図１，図２に示すデジタルカメラ１００のブロック図である。
【００２６】
デジタルカメラ１００には、モータドライバ１１１ａ、モータ１１１ｂ、アイリス１１１、モータドライバ１１２ａ、モータ１１２ｂ、フォーカスレンズ１１２、タイミングジェネレータ１１３ａ、ＣＣＤ１１３、ＣＤＳ−ＡＭＰ１２１、Ａ／Ｄ（Ａｎａｌｏｇ／Ｄｅｇｉｔａｌ）変換部１２２、メモリコントローラ１２３、ＡＦ値判断部１２４、画像信号処理部１２５、ＣＰＵ１２６、ＡＦ検出部１２７、ビデオエンコーダ１２８、メディアコントローラ１２９、ＲＯＭ１３０、Ｅ2ＰＲＯＭ１３１、ＲＡＭ１３２、ＯＣＲ１３３、計時回路１３４、シャッタスイッチ１６１、電源スイッチ１６２、十字キースイッチ１６３、および画像表示装置１４０が具備されており、さらに、記録メディア１５０が接続されている。デジタルカメラ１００の内部には、これらの他にも、シャッタなどが備えられているが、これらは、本発明の主題とは無関係であるので図示を省略する。
【００２７】
まず、スイッチについて説明する。
【００２８】
シャッタスイッチ１６１は、図１，図２にも示すシャッタレリーズボタン１０５の押下に同期して２段階に入切されるスイッチであり、一段目のスイッチが入るとフォーカスロックが設定され、二段目のスイッチが入ると被写体の本撮影が行われる。
【００２９】
電源スイッチ１６２は、図１，図２にも示す電源ボタン１０４のスライド操作に同期して入切され、電源スイッチ１６２が入ると、デジタルカメラ１００が駆動される。
【００３０】
十字キースイッチ１６３は、図２に示すメニューボタン１０７１が押下された後の、ＬＣＤパネル１０８に各種メニューが表示されている状態では、図２にも示す十字キー１０７４の押下に同期してＬＣＤパネル１０８に表示されるカーソルが移動され、ＬＣＤパネル１０８に表示される選択メニューの、複数の項目の中のいずれかの項目を選択するスイッチであり、ユーザが所望の項目を選択した後に図２に示す実行ボタン１０７５を押下することによってその選択が確定される。
【００３１】
ＯＣＲモードスイッチ１６４は、図２にも示すＯＣＲモードボタン１０７３の押下に同期して通常撮影機能とＯＣＲ機能とを切り換えるスイッチであり、ＯＣＲモードボタン１０７３が１回押下されてＯＣＲモードスイッチ１６４が入るとＯＣＲ機能が有効となり、ＯＣＲモードボタン１０７３が再度押下されてＯＣＲモードスイッチ１６４が切られると通常撮影機能が有効となる。
【００３２】
また、図示しないが、画像表示装置１４０に撮影画像を表示する画像表示スイッチなどといった各種スイッチが備えられている。これらの各スイッチが設定されると、ＣＰＵ１２６に各スイッチの設定状況が伝えられる。
【００３３】
次に、被写体を撮影し、その撮影画像に信号処理を施す要素について説明する。
【００３４】
アイリス１１１には、大きさの異なる２つの孔が設けられている。また、アイリス１１１にはモータ１１１ｂが取り付けられており、そのモータ１１１ｂはモータドライバ１１１ａによって駆動される。モータドライバ１１１ａが、ＣＰＵ１２６からの指示に従った指示信号をモータ１１１ｂに与え、モータ１１１ｂがその指示信号に従って回転すると、アイリス１１１に設けられた孔が切り替えられる。このような切り替えによって、被写体光の光量が調整される。
【００３５】
フォーカスレンズ１１２は、被写体に焦点を合わせるためのレンズである。尚、本来、デジタルカメラなどといった撮影装置には複数のレンズが配備され、それら複数のレンズのうち少なくとも１つのレンズがピントの調節に大きく関与するが、この図３では、それらの複数のレンズのうち、ピントの調節に係わるレンズのみをフォーカスレンズ１１２として模式的に示している。フォーカスレンズ１１２にはモータ１１２ｂが取り付けられており、そのモータ１１２ｂはモータドライバ１１２ａによって駆動される。モータドライバ１１２ａは、ＣＰＵ１２６からの、フォーカスレンズ１１２を所定の駆動範囲内で移動させる指示や、フォーカスレンズ１１２を合焦位置に向かわせるための合焦位置の指示などを受けて、それらの指示に従った指示信号をモータ１１２ｂに与える。モータ１１２ｂがモータドライバ１１２ａから与えられた指示信号に従って回転すると、フォーカスレンズ１１２が移動する。
【００３６】
ＣＣＤ１１３は、図１の撮影レンズ１０１を通ってきた被写体光を受光して、被写体光に基づく被写体像を、アナログ信号である被写体信号として読み取る。この被写体信号は、タイミングジェネレータ１１３ａからの指示に従って、ＣＤＳ−ＡＭＰ１２１に出力される。
【００３７】
タイミングジェネレータ１１３ａは、所定時間ごと、あるいは図１，図２に示すシャッタレリーズボタン１０５が押されたときに、ＣＣＤ１１３に被写体信号を出力させる指示を送る。ＣＤＳ−ＡＭＰ１２１は、増幅率を調整してその調整された増幅率で被写体信号を増幅する。Ａ／Ｄ変換部１２２は、被写体信号をデジタルデータである撮影画像データに変換する。メモリコントローラ１２３は、撮影画像データの出力先を制御する。デジタルカメラ１００は、フォーカスレンズ１１２の合焦位置を検出する合焦動作を行うために、本撮影の前にも撮影画像データを生成する。この合焦動作の際の撮影画像データは、解像度が低い一時的なデータであり、ＡＦ検出部１２７やＡＦ値判断部１２４やＲＡＭ１３２に送られる。また、本撮影時に生成される解像度の高い撮影画像データは、ＲＡＭ１３２に送られて書き込まれる。画像信号処理部１２５は、本撮影時に生成されてＲＡＭ１３２に書き込まれた撮影画像データをＲＡＭ１３２から読み出して、その撮影画像データのＲＧＢレベルの調節、ガンマ調整、圧縮処理などを行う。ビデオエンコーダ１２８は、ＣＰＵ１２６からの指示に従い、画像信号処理部１２５によって圧縮された撮影画像データを画像表示装置１４０で表示できるデータの形式に変換する。ビデオエンコーダ１２８によって変換された後の撮影画像データは、画像表示装置１４０に送られ、画像表示装置１４０は、撮影画像データが表す撮影画像をＬＣＤパネル１０８（図２参照）に表示させる。メディアコントローラ１２９は、記録メディア１５０への撮影画像データの記録や読み出しを制御する。画像表示装置１４０はメニュー画面や撮影画像データが表す撮影画像をＬＣＤパネル１０８（図２参照）に表示させるためのものである。また、記録メディア１５０は、撮影画像データを記録しておく記録媒体である。
【００３８】
また、ＣＰＵ１２６は、図１〜図３に示すデジタルカメラ１００の各種要素を制御する。このＣＰＵ１２６は、本発明にいう設定部の一例に相当する。
【００３９】
ＡＦ検出部１２７は、メモリコントローラ１２３から送られてきた解像度の低い撮影画像データを基に、撮影画像のコントラストを検出する。検出されたコントラストは、ＡＦ値判断部１２４に送られる。
【００４０】
ＡＦ値判断部１２４は、ＡＦ検出部１２７から送られてきたコントラストを基にフォーカスレンズ１１２の合焦位置を決定する。決定された合焦位置は、ＣＰＵ１２６に伝えられ、ＣＰＵ１２６からフォーカスレンズ１１２のモータドライバ１１２ａに駆動指示が与えられる。
【００４１】
ＲＯＭ１３０には、デジタルカメラ１００を動作させる各種プログラムなどが保存されている。
【００４２】
Ｅ2ＰＲＯＭ１３１には、例えばユーザによって変更された設定値などが書き込まれて保存される。
【００４３】
ＲＡＭ１３２には、撮影時に一時的に蓄えられる撮影画像データなどが書き込まれる。
【００４４】
ＯＣＲ１３３は、ＯＣＲ機能が有効な状態で日時を表す情報が記録された画像が撮影された場合に、撮影されて得られた撮影画像データから文字を認識して、その日時を表す情報を抽出する。このＯＣＲ１３３は、本発明にいう情報抽出部の一例に相当する。
【００４５】
計時回路１３４は、日時を管理する。この計時回路１３４は、本発明にいう日時管理部の一例に相当する。
【００４６】
第１実施形態のデジタルカメラ１００は、基本的には以上のように構成されている。
【００４７】
ここで、デジタルカメラ１００における、本発明の第１実施形態としての特徴は、日時を設定する動作にあり、以下、この動作について説明する。
【００４８】
図４は、日時を設定する操作の流れを説明するフローチャートである。尚、電源ボタン１０４をスライド操作してデジタルカメラ１００を駆動させた直後には通常撮影機能が有効となっていて、ＯＣＲモードボタン１０７３は、上述したように、このＯＣＲモードボタン１０７３が１回押下されてＯＣＲモードスイッチ１６４が入るとＯＣＲ機能が有効となり、ＯＣＲモードボタン１０７３が再度押下されてＯＣＲモードスイッチ１６４が切られると通常撮影機能が有効となるように設定するものである。つまり、ＯＣＲモードボタン１０７３が１回押下されるごとにＯＣＲモードスイッチ１６４のＯＮ・ＯＦＦが切り替えられるものである。
【００４９】
この図４に示すフローチャートで説明する動作は、ＯＣＲモードボタン１０７３が押下されてＯＣＲ機能が有効な状態で、日時を表す情報が記録された画像を撮影するためにシャッタボタン１０４が押下されることによって開始される。
【００５０】
まず、シャッタボタン１０４が押下されたことを受けて、図３に示すＣＣＤ１１３からＣＤＳ−ＡＭＰ１２１に出力された被写体信号がＣＤＳ−ＡＭＰ１２１において増幅率が調整されてその調整された増幅率で被写体信号が増幅される（ステップ１１）。
【００５１】
次に、ステップ１１で増幅された被写体信号がＣＤＳ−ＡＭＰ１２１からＡ／Ｄ変換部１２２に出力されて、Ａ／Ｄ変換部１２２において被写体信号がデジタルデータである撮影画像データに変換される（ステップ１２）。
【００５２】
次に、ステップ１２で得られた撮影画像データが、ＲＡＭ１３２に送られて書き込まれる（ステップ１３）。
【００５３】
次に、ステップ１３でＲＡＭ１３２に書き込まれた撮影画像データがＯＣＲ１３３に出力されて、ＯＣＲ１３３において撮影画像データから文字が認識され、日時を表す情報が抽出される（ステップ１４）。
【００５４】
次に、ＣＰＵ１２６によって、計時回路１３４に、ステップ１４で抽出された日時を表す情報に基づく日時が設定される（ステップ１５）。
【００５５】
このように、上述した第１実施形態のデジタルカメラ１００は、日時を表す情報が記録された画像を撮影して得られた撮影画像データから抽出された情報に基づいて日時を設定するものであるため、ユーザが多数の操作子を操作することによって設定を行うような煩雑な操作が回避される。また、このデジタルカメラ１００によれば、「発明が解決しようとする課題」の欄で説明した電源バックアップ手段などといった手段が不要であるため、コストアップを招くことも回避される。
【００５６】
以上で、本発明の第１実施形態の説明を終了する。
【００５７】
次に、第２実施形態として、ＯＣＲ機能が搭載されたデジタルカメラにおいてＯＣＲ機能が有効な状態で、プリント注文情報が記録された画像を撮影して得られた撮影画像データから抽出されたプリント注文情報に基づいてプリント注文の有無およびプリント枚数を設定する実施形態について説明する。
【００５８】
尚、以下説明する第２実施形態では、第１実施形態で説明した装置構成とほぼ同じ装置構成を有するため、第１実施形態との相違点に注目し、同じ要素については同じ符号を付して説明を省略する。
【００５９】
図５は、本発明の撮影装置の第２実施形態が適用されたデジタルカメラを前面斜め上から見た外観斜視図であり、図６は、図５に示すデジタルカメラを背面斜め上から見た外観斜視図であり、図７は、図５，図６に示すデジタルカメラ２００のブロック図である。尚、このデジタルカメラ２００は、プリント注文の有無やプリント枚数などを指定することのできるＤＰＯＦ（登録商標）対応のデジタルカメラである。
【００６０】
図６に示すように、このデジタルカメラ２００の背面には、光学式ファインダ接眼窓１０６と、メニューボタン１０７１と、画面切換ボタン１０７２と、通常撮影機能とＯＣＲ機能とを切り換えるＯＣＲモードボタン１０７６と、各種選択操作を行う十字キー１０７４と、各種操作によって変更された設定を確定する実行ボタン１０７５と、画像やメニューを表示するＬＣＤパネル１０８とが備えられている。
【００６１】
図７に示すＯＣＲモードスイッチ１６５は、図６にも示すＯＣＲモードボタン１０７６の押下に同期して通常撮影機能とＯＣＲ機能とを切り換えるスイッチであり、ＯＣＲモードボタン１０７６が１回押下されてＯＣＲモードスイッチ１６５が入るとＯＣＲ機能が有効となり、ＯＣＲモードボタン１０７６が再度押下されてＯＣＲモードスイッチ１６５が切られると通常撮影機能が有効となる。
【００６２】
ＯＣＲ１３５は、ＯＣＲ機能が有効な状態でプリント注文情報が記録された画像が撮影された場合に、撮影されて得られた撮影画像データから文字を認識して、そのプリント注文情報を抽出する。このＯＣＲ１３５は、本発明にいう情報抽出部の一例に相当する。
【００６３】
第２実施形態のデジタルカメラ２００は、基本的には以上のように構成されている。
【００６４】
ここで、デジタルカメラ２００における、本発明の一実施形態としての特徴は、プリント注文の有無およびプリント枚数を設定する動作にあり、以下、この動作について説明する。
【００６５】
図８は、プリント注文の有無およびプリント枚数を設定する操作の流れを説明するフローチャートである。尚、電源ボタン１０４をスライド操作してデジタルカメラ１００を駆動させた直後には通常撮影機能が有効となっていて、ＯＣＲモードボタン１０７６は、上述したように、このＯＣＲモードボタン１０７６が１回押下されてＯＣＲモードスイッチ１６５が入るとＯＣＲ機能が有効となり、ＯＣＲモードボタン１０７６が再度押下されてＯＣＲモードスイッチ１６５が切られると通常撮影機能が有効となるように設定するものである。つまり、ＯＣＲモードボタン１０７６が１回押下されるごとにＯＣＲモードスイッチ１６５のＯＮ・ＯＦＦが切り替えられるものである。
【００６６】
この図８に示すフローチャートで説明する動作は、通常撮影機能が有効な状態で撮影されて得られた撮影画像データが記録メディア１５０に保存された直後にＯＣＲモードボタン１０７６が押下されてＯＣＲ機能が有効な状態で、プリント注文の有無やプリント枚数を表すプリント注文情報が記録された画像を撮影するためにシャッタボタン１０４が押下されることによって開始される。尚、この図８に示すフローチャートで説明する動作のうちのステップ２４の前までの動作は、上述した図４に示すフローチャートで説明した動作のうちのステップ１４の前までの動作と同一の動作であるため説明を省略する。。
【００６７】
ステップ２３でＲＡＭ１３２に書き込まれた撮影画像データがＯＣＲ１３３に出力されて、ＯＣＲ１３３において撮影画像データから文字が認識され、プリント注文の有無やプリント枚数を表すプリント注文情報が抽出される（ステップ２４）。
【００６８】
次に、ＣＰＵ１２６によって、プリント注文情報が記録された画像が撮影される直前に通常撮影機能が有効な状態で撮影されて記録メディア１５０に保存された撮影画像データに１対１で対応付けて記録メディア１５０に、ステップ２４で抽出されたプリント注文情報に基づくプリント注文の有無やプリント枚数が設定される（ステップ２５）。
【００６９】
このように、上述した第２実施形態のデジタルカメラ２００は、プリント注文情報が記録された画像を撮影して得られた撮影画像データから抽出されたプリント注文情報に基づいてプリント注文の有無やプリント枚数を設定するものであるため、ユーザが多数の操作子を操作することによって設定を行うような煩雑な操作が回避される。
【００７０】
以上で、本発明の第２実施形態の説明を終了する。
【００７１】
次に、第３実施形態として、ＱＲコード（登録商標）などといった２次元コードを読み取る２次元コードリーダが搭載されたデジタルカメラにおいて２次元コードリーダによる２次元コード読取機能が有効な状態で、画像処理内容を表す情報や撮影条件決定情報が記録された画像を撮影して得られた撮影画像データから抽出された情報に基づいて画像処理内容や撮影条件決定情報を設定する実施形態について説明する。
【００７２】
尚、以下説明する第３実施形態では、第１実施形態で説明した装置構成とほぼ同じ装置構成を有するため、第１実施形態との相違点に注目し、同じ要素については同じ符号を付して説明を省略する。
【００７３】
図９は、本発明の撮影装置の第３実施形態が適用されたデジタルカメラを前面斜め上から見た外観斜視図であり、図１０は、図９に示すデジタルカメラを背面斜め上から見た外観斜視図であり、図１１は、図９，図１０に示すデジタルカメラ３００のブロック図である。
【００７４】
図１０に示すように、このデジタルカメラ３００の背面には、光学式ファインダ接眼窓１０６と、メニューボタン１０７１と、画面切換ボタン１０７２と、通常撮影機能と２次元コード読取機能とを切り換える２次元コードボタン１０７７と、各種選択操作を行う十字キー１０７４と、各種操作によって変更された設定を確定する実行ボタン１０７５と、画像やメニューを表示するＬＣＤパネル１０８とが備えられている。
【００７５】
図１１に示すフォーカスレンズ１１２は、被写体に焦点を合わせるためのレンズである。このフォーカスレンズ１１２にはモータ１１２ｂが取り付けられており、そのモータ１１２ｂはモータドライバ１１２ａによって駆動される。モータドライバ１１２ａは、ＣＰＵ１２６からの、フォーカスレンズ１１２を所定の駆動範囲内で移動させる指示や、フォーカスレンズ１１２を合焦位置に向かわせるための合焦位置の指示などを受けて、それらの指示に従った指示信号をモータ１１２ｂに与える。モータ１１２ｂがモータドライバ１１２ａから与えられた指示信号に従って回転すると、フォーカスレンズ１１２が移動する。このフォーカスレンズ１１２とモータ１１２ｂとモータドライバ１１２ａを合わせたものは、本発明の撮影装置における撮影部の一例に相当する。
【００７６】
画像信号処理部１２５は、本撮影時に生成されてＲＡＭ１３２に書き込まれた撮影画像データをＲＡＭ１３２から読み出して、その撮影画像データのＲＧＢレベルの調節、ガンマ調整、圧縮処理などを行う。この画像信号処理部１２５は、本発明にいう画像処理部の一例に相当する。
【００７７】
２次元コードスイッチ１６６は、図１０にも示す２次元コードボタン１０７７の押下に同期して通常撮影機能と２次元コード読取機能とを切り換えるスイッチであり、２次元コードボタン１０７７が１回押下されて２次元コードスイッチ１６６が入ると２次元コード読取機能が有効となり、２次元コードボタン１０７７が再度押下されて２次元コードスイッチ１６６が切られると通常撮影機能が有効となる。
【００７８】
２次元コードリーダ１３６は、２次元コード読取機能が有効な状態で画像処理内容を表す情報や撮影条件決定情報が記録された画像が撮影された場合に、撮影されて得られた撮影画像データから文字を認識して、その画像処理内容を表す情報や撮影条件決定情報を抽出する。この２次元コードリーダ１３６は、本発明にいう情報抽出部の一例に相当する。
【００７９】
Ｅ2ＰＲＯＭ１３１には、画像信号処理部１２５における画像信号処理に用いられる各種画像信号処理パラメータや、例えば露出値に応じた絞り値とシャッタスピードの組み合わせなどといった、撮影で用いられる撮影条件を決定する撮影条件決定情報が保存されている他、例えばユーザによって変更された設定値などが書き込まれて保存される。
【００８０】
第３実施形態のデジタルカメラ３００は、基本的には以上のように構成されている。
【００８１】
ここで、デジタルカメラ３００における、本発明の一実施形態としての特徴は、画像処理内容や撮影条件決定情報を設定する動作にあり、以下、この動作について説明する。
【００８２】
図１２は、画像処理内容や撮影条件決定情報を設定する操作の流れを説明するフローチャートである。尚、電源ボタン１０４をスライド操作してデジタルカメラ１００を駆動させた直後には通常撮影機能が有効となっていて、２次元コードボタン１０７７は、上述したように、この２次元コードボタン１０７７が１回押下されて２次元コードスイッチ１６６が入ると２次元コード読取機能が有効となり、２次元コードボタン１０７７が再度押下されて２次元コードスイッチ１６６が切られると通常撮影機能が有効となるように設定するものである。つまり、２次元コードボタン１０７７が１回押下されるごとに２次元コードスイッチ１６６のＯＮ・ＯＦＦが切り替えられるものである。
【００８３】
この図１２に示すフローチャートで説明する動作は、２次元コードボタン１０７７が押下されて２次元コード読取機能が有効な状態で、画像処理内容を表す情報や撮影条件決定情報が記録された画像を撮影するためにシャッタボタン１０４が押下されることによって開始される。尚、この図１２に示すフローチャートで説明する動作のうちのステップ３４の前までの動作は、上述した図４に示すフローチャートで説明した動作のうちのステップ１４の前までの動作と同一の動作であるため説明を省略する。。
【００８４】
ステップ３３でＲＡＭ１３２に書き込まれた撮影画像データが２次元コードリーダ１３６に出力されて、２次元コードリーダ１３６において撮影画像データから文字が認識され、画像処理内容を表す情報が記録された画像が撮影された場合には画像処理内容を表す情報が抽出され、撮影条件決定情報を表す情報が記録された画像が撮影された場合には撮影条件決定情報が抽出される（ステップ３４）。
【００８５】
次に、ＣＰＵ１２６によって、Ｅ2ＰＲＯＭ１３１に、ステップ３４で抽出された画像処理内容を表す情報に基づく画像処理内容や撮影条件決定情報が設定される（ステップ３５）。
【００８６】
このように、上述した第３実施形態のデジタルカメラ３００は、画像処理内容を表す情報が記録された画像や、撮影条件決定情報を表す情報が記録された画像を撮影して得られた撮影画像データから抽出された画像処理内容を表す情報や撮影条件決定情報に基づいて画像処理内容や撮影条件決定情報を設定するものであるため、ユーザが多数の操作子を操作することによって設定を行うような煩雑な操作が回避される。
【図面の簡単な説明】
【００８７】
【図１】本発明の撮影装置の一実施形態が適用されたデジタルカメラを前面斜め上から見た外観斜視図である。
【図２】図１に示すデジタルカメラを背面斜め上から見た外観斜視図である。
【図３】図１，図２に示すデジタルカメラ１００のブロック図である。
【図４】日時を設定する操作の流れを説明するフローチャートである。
【図５】本発明の撮影装置の第２実施形態が適用されたデジタルカメラを前面斜め上から見た外観斜視図である。
【図６】図５に示すデジタルカメラを背面斜め上から見た外観斜視図である。
【図７】図５，図６に示すデジタルカメラ２００のブロック図である。
【図８】プリント注文の有無およびプリント枚数を設定する操作の流れを説明するフローチャートである。
【図９】本発明の撮影装置の第３実施形態が適用されたデジタルカメラを前面斜め上から見た外観斜視図である。
【図１０】図９に示すデジタルカメラを背面斜め上から見た外観斜視図である。
【図１１】図９，図１０に示すデジタルカメラ３００のブロック図である。
【図１２】画像処理内容や撮影条件決定情報を設定する操作の流れを説明するフローチャートである。
【符号の説明】
【００８８】
１００，２００，３００    デジタルカメラ
１０１    撮影レンズ
１０２    光学式ファインダ対物窓
１０３    閃光発光装置
１０４    電源ボタン
１０５    シャッタレリーズボタン
１０６    光学式ファインダ接眼窓
１０７１    メニューボタン
１０７２    画面切換ボタン
１０７３    ＯＣＲモードボタン
１０７４    十字キー
１０７５    実行ボタン
１０７６    ＯＣＲモードボタン
１０７７    ２次元コードボタン
１０８    ＬＣＤパネル
１１１    アイリス
１１１ａ    モータドライバ
１１１ｂ    モータ
１１２ａ    モータドライバ
１１２ｂ    モータ
１１２    フォーカスレンズ
１１３ａ    タイミングジェネレータ
１１３    ＣＣＤ
１２１    ＣＤＳ−ＡＭＰ
１２２    Ａ／Ｄ変換部
１２３    メモリコントローラ
１２４    ＡＦ値判断部
１２５    画像信号処理部
１２６    ＣＰＵ
１２７    ＡＦ検出部
１２８    ビデオエンコーダ
１２９    メディアコントローラ
１３０    ＲＯＭ
１３１    Ｅ2ＰＲＯＭ
１３２    ＲＡＭ
１３３    ＯＣＲ
１３４    計時回路
１３５    ＯＣＲ
１３６    ２次元コードリーダ
１４０    画像表示装置
１５０    記録メディア
１６１    シャッタスイッチ
１６２    電源スイッチ
１６３    十字キースイッチ
１６４    ＯＣＲモードスイッチ
１６５    ＯＣＲモードスイッチ
１６６    ２次元コードスイッチ
【図１】
2006157097.tif 000003
【図２】
2006157097.tif 000004
【図３】
2006157097.tif 000005
【図４】
2006157097.tif 000006
【図５】
2006157097.tif 000007
【図６】
2006157097.tif 000008
【図７】
2006157097.tif 000009
【図８】
2006157097.tif 000010
【図９】
2006157097.tif 000011
【図１０】
2006157097.tif 000012
【図１１】
2006157097.tif 000013
【図１２】
2006157097.tif 000014